(57)【要約】【課題】使用時には磁性体でない壁面にも吸着固定して容易に使用することができ、収納時には不用意に展開されないように収納状態を安定して固定することができ、しかも軽量かつコンパクトで設置や収納を極めて容易に行うことができる投影スクリーンを提供すること。【解決手段】投影された光学像を映すための映像スクリーン部１０の裏面の全体又は一部に、多数の微細吸盤が形成された自己吸着層１を設けると共に、映像スクリーン部１０の表面の全体又は一部を、自己吸着層１が吸着される平滑面状に形成した。【選択図】      図１
2008058786.tif 000002
【特許請求の範囲】
【請求項１】
投影された光学像を映すための映像スクリーン部の裏面の全体又は一部に、多数の微細吸盤が形成された自己吸着層を設けると共に、上記映像スクリーン部の表面の全体又は一部を、上記自己吸着層が吸着される平滑面状に形成したことを特徴とする投影スクリーン。
【請求項２】
上記自己吸着層が基材に形成されていて、上記基材が上記映像スクリーン部の裏面に固定されている請求項１記載の投影スクリーン。
【請求項３】
上記自己吸着層が上記映像スクリーン部の裏面自体に形成されている請求項１記載の投影スクリーン。
【請求項４】
表裏両面に上記自己吸着層が形成された基材が上記映像スクリーン部とは分離して設けられて、表裏両面のうちの一方の面の自己吸着層が上記映像スクリーン部の裏面に吸着されている請求項１記載の投影スクリーン。
【請求項５】
上記映像スクリーン部のあい対向する二辺に沿って板状部材が取り付けられて、上記自己吸着層が上記板状部材の裏面に設けられている請求項１記載の投影スクリーン。
【請求項６】
上記映像スクリーン部をロール状に丸めたとき、上記自己吸着層を上記映像スクリーン部の表面側に吸着させることで、上記ロール状態が固定される請求項１ないし５のいずれかの項に記載の投影スクリーン。
【請求項７】
上記映像スクリーン部がロール状に丸められる中心軸位置に心棒が配置されていて、その心棒の表面に上記自己吸着層が吸着される請求項６記載の投影スクリーン。
【請求項８】
上記映像スクリーン部が複数の領域に分割形成されてその各分割片の裏面に上記自己吸着層が設けられ、上記各分割片の裏面の自己吸着層を他の分割片の映像スクリーン部の表面に吸着させることができる請求項１ないし５のいずれかの項に記載の投影スクリーン。
【請求項９】
上記自己吸着層が、連続気泡型又は独立気泡型の発泡体の気泡が外面に開口した状態のもので形成されている請求項１ないし８のいずれかの項に記載の投影スクリーン。
【請求項１０】
上記自己吸着層が、発泡エラーストマー系高分子材料、発泡ゴム系高分子材料又は発泡ウレタン系高分子材料で形成されている請求項９記載の投影スクリーン。
【請求項１１】
上記発泡ゴム系高分子材料が、アクリル酸エステル共重合体からなる発泡アクリルラテックスである請求項１０記載の投影スクリーン。
【請求項１２】
上記映像スクリーン部が、特定の角度範囲で入射した光を散乱して、それ以外の角度で入射した光を透過する指向性散乱層を有するものである請求項１ないし１１のいずれかの項に記載の投影スクリーン。
【請求項１３】
上記映像スクリーン部が、特定の角度範囲で入射した光を吸収して、それ以外の角度で入射した光を透過する指向性吸収層を有するものである請求項１ないし１１のいずれかの項に記載の投影スクリーン。
【発明の詳細な説明】
【技術分野】
【０００１】
この発明は、投影された光学像を映すための投影スクリーンに関する。
【背景技術】
【０００２】
投影スクリーンは一般に、展開して吊り下げられた状態で使用されるが、安定した状態に吊り下げるための部材が大きく重くなって収納性が非常に悪くなる問題がある。そこで、裏面側にマグネットシートを設けることにより、使用時には磁力で壁面に吸着固定し、収納時にはロール状に丸めて磁力でその状態を固定できるようにして、コンパクト化と低コスト化を図っている（例えば、特許文献１）。
【特許文献１】特開２００６−１７１５６３
【発明の開示】
【発明が解決しようとする課題】
【０００３】
しかし、裏面側にマグネットシートを設けた投影スクリーンは、設置する際の壁面が鉄等のような磁性体でないと吸着固定することができない不便さがあり、また、マグネットシートの重量が取り扱い性に大きな影響を及ぼして、設置や収納のための作業の際に負担になっていた。
本発明は、使用時には磁性体でない壁面にも吸着固定して容易に使用することができ、収納時には不用意に展開されないように収納状態を安定して固定することができ、しかも軽量かつコンパクトで設置や収納を極めて容易に行うことができる投影スクリーンを提供することを目的とする。
【課題を解決するための手段】
【０００４】
上記の目的を達成するため、本発明の投影スクリーンは、投影された光学像を映すための映像スクリーン部の裏面の全体又は一部に、多数の微細吸盤が形成された自己吸着層を設けると共に、映像スクリーン部の表面の全体又は一部を、自己吸着層が吸着される平滑面状に形成したものである。
なお、自己吸着層が基材に形成されていて、その基材が映像スクリーン部の裏面に固定されていてもよく、自己吸着層が映像スクリーン部の裏面自体に形成されていてもよい。あるいは、表裏両面に自己吸着層が形成された基材が映像スクリーン部とは分離して設けられて、表裏両面のうちの一方の面の自己吸着層が映像スクリーン部の裏面に吸着されていてもよい。また、映像スクリーン部のあい対向する二辺に沿って板状部材が取り付けられて、自己吸着層が板状部材の裏面に設けられていてもよい。
【０００５】
そして、映像スクリーン部をロール状に丸めたとき、自己吸着層を映像スクリーン部の表面側に吸着させることで、ロール状態が固定されるようにしてもよく、その場合、映像スクリーン部がロール状に丸められる中心軸位置に心棒が配置されていて、その心棒の表面に自己吸着層が吸着されるようにしてもよい。また、映像スクリーン部が複数の領域に分割形成されてその各分割片の裏面に自己吸着層が設けられ、各分割片の裏面の自己吸着層を他の分割片の映像スクリーン部の表面に吸着させることができるようにしてもよい。
【０００６】
なお、自己吸着層が、連続気泡型又は独立気泡型の発泡体の気泡が外面に開口した状態のもので形成されていてもよく、自己吸着層が、発泡エラーストマー系高分子材料、発泡ゴム系高分子材料又は発泡ウレタン系高分子材料で形成されていて、その発泡ゴム系高分子材料が、アクリル酸エステル共重合体からなる発泡アクリルラテックスであってもよい。
【０００７】
また、映像スクリーン部が、特定の角度範囲で入射した光を散乱して、それ以外の角度で入射した光を透過する指向性散乱層を有するものであってもよく、あるいは、映像スクリーン部が、特定の角度範囲で入射した光を吸収して、それ以外の角度で入射した光を透過する指向性吸収層を有するものであってもよい。
【発明の効果】
【０００８】
本発明によれば、投影された光学像を映すための映像スクリーン部の裏面の全体又は一部に、多数の微細吸盤が形成された自己吸着層を設けると共に、映像スクリーン部の表面の全体又は一部を、自己吸着層が吸着される平滑面状に形成したことにより、使用時には磁性体でない壁面にも吸着固定して容易に使用することができ、収納時には、裏面の自己吸着層を映像スクリーン部の表面側に吸着固定させることで、不用意に展開されないように収納状態を安定して固定することができ、しかも軽量かつコンパクトで設置や収納を極めて容易に行うことができる。
【発明を実施するための最良の形態】
【０００９】
以下、図面を参照して本発明の実施の形態を説明する。
図１は、本発明の第１の実施の形態の投影スクリーンを示しており、投影された光学像を映すための映像スクリーン部１０の裏面全体に、多数の微細吸盤が形成された自己吸着層１が設けられている。ただし、映像スクリーン部１０の裏面の一部に自己吸着層１が設けられていても差し支えない。より具体的に、この実施の形態においては、自己吸着層１が形成された基材２が映像スクリーン部１０の裏面に接着剤３により接合固定されている。ただし、その他の手段で固定しても差し支えない。
【００１０】
自己吸着層１は、連続気泡型又は独立気泡型の発泡体の気泡が外面に開口した状態のもので形成されて、外面に向かって開口する気泡が微細吸盤になっている。その材料としては、アクリル酸エステル共重合体からなる透明な発泡アクリルラテックス等のような発泡ゴム系高分子材料、発泡エラーストマー系高分子材料又は発泡ウレタン系高分子材料等を用いることができる。なお、微細吸盤になる気泡の平均直径は、１０μｍ程度以上で５０μｍ程度以下であることが吸着力の点から望ましい。
【００１１】
この実施の形態においては、そのような自己吸着層１がコーティング等で形成された基材２が映像スクリーン部１０の裏面に接着剤３で接合されている。基材２としては各種の高分子材料を用いることができ、自己吸着層１と同系の材料を用いると自己吸着層１と一体化された状態になり易くて好ましい。接着剤３としては適宜のものを選択すればよいが、映像スクリーン部１０が透過型スクリーンの場合には、自己吸着層１、基材２及び接着剤３共に透明性の高い材料を選択する必要がある。映像スクリーン部１０としては、反射型又は透過型のどのようなスクリーンを用いても差し支えない。ただし、本発明においては、映像スクリーン部１０の表面の全体又は一部が、自己吸着層１の微細吸盤がよく吸着される平滑面状に形成されている。
【００１２】
図２は、投影スクリーンの使用状態の一例を示している。映像スクリーン部１０の裏面に設けられた自己吸着層１が室内の壁面２０に吸着固定されており、自己吸着層１が吸着する平滑性が壁面２０にありさえすれば、磁性体でない壁面２０等にも確実に吸着固定して、プロジェクター３０等から投影された映像を映像スクリーン部１０に映し出すことができる。なお、壁面２０は建物の壁に限定されず、ホワイトボード、ガラス面、金属面、プラスチック面あるいはその他の面であってもよく、本発明の投影スクリーンは反射型又は透過型のどちらのスクリーンでも構成することができる。
【００１３】
図３は、投影スクリーンの収納状態の一例を示しており、映像スクリーン部１０及びその裏に設けられた自己吸着層１（基材２を含む）がロール状に丸めることができる柔軟性を有していて、ロール状に丸められた映像スクリーン部１０の裏面に設けられている自己吸着層１を映像スクリーン部１０の表面側に吸着させることにより、ロール状態を固定して不用意に展開されないようにすることができる。このように、本発明の投影スクリーンは、軽量かつコンパクトで設置や収納を極めて容易に行うことができる。
【００１４】
なお、図３に示される例では自己吸着層１が映像スクリーン部１０の内側になる状態でロール状に巻かれているが、自己吸着層１を映像スクリーン部１０の外側にしてロール状に巻いてもよい。その場合には、巻き取り後のロールの外面に保護フィルム等を巻いて自己吸着層１を保護するとよい。また、図４に示されるように、ロールの中心軸位置に心棒１１を配置して、その心棒１１の表面に自己吸着層１が吸着固定されるようにすれば、巻き取りを容易に行うことができる。
【００１５】
図５は、自己吸着層１を映像スクリーン部１０の裏面全体ではなく、映像スクリーン部１０のあい対向する二辺（上辺と下辺、又は右辺と左辺）の裏面に設けたものである。このように構成しても、映像スクリーン部１０を壁面２０に安定した状態に固定したり、収納時に映像スクリーン部１０をロール状に巻いた状態を固定することができる。
図６は、映像スクリーン部１０の裏面のあい対向する二辺に沿って金属板又は硬質プラスチック板等のような柔軟性のない板状部材１２を取り付けて、その板状部材１２に自己吸着層１を設けたものである（ただし、板状部材１２が柔軟性を有していても差し支えない）。このように映像スクリーン部１０のあい対向する二辺に沿って板状部材１２を取り付けることにより、二辺の裏面だけに設けられた自己吸着層１で、映像スクリーン部１０をしわ等が出ないように壁面２０等にきれいに固定することができる。
【００１６】
図７は、映像スクリーン部１０を複数の（この実施の形態では四つの）領域に分割形成して、その各分割片１０Ａ〜１０Ｄの裏面に自己吸着層１を設けたものである。このように構成することにより、使用時には、図７に示されるように各分割片１０Ａ〜１０Ｄを隣接して並べて壁面２０等に吸着固定し、収納時には、図８に示されるように各分割片１０Ａ〜１０Ｄを重ね合わせて、それらの裏面の自己吸着層１を他の分割片１０Ａ〜１０Ｄの映像スクリーン部１０の表面に吸着させることにより、収納状態を安定した状態に固定してコンパクトに収納することができる。
【００１７】
なお、本発明の投影スクリーンは上記実施の形態に限定されるものではなく、例えば図９に示されるように、自己吸着層１を映像スクリーン部１０の裏面自体に形成してもよく、図１０に示されるように、表裏両面に自己吸着層１が形成された基材２を映像スクリーン部１０とは分離して設けて、表裏両面の一方の面の自己吸着層１を映像スクリーン部１０の裏面に吸着固定してもよい。
【００１８】
また、映像スクリーン部１０としては、図１１に示されるように、特定の角度範囲で入射した光を散乱して、それ以外の角度で入射した光を透過する指向性散乱層１４を有する反射型スクリーンを用いることもできる。指向性散乱層１４は、例えば透明基材１３に微小な柱状レンズが二次元的に並んで形成された柱状レンズシートで形成されていて、その裏面に光反射層１５が配置されている。また、光反射層１５を透明層に置き替えた透過型スクリーンを用いることもできる。
【００１９】
また、映像スクリーン部１０として、図１２に示されるように、特定の角度範囲で入射した光を吸収して、それ以外の角度で入射した光を透過する指向性吸収層１７を有する透過型スクリーンを用いることもできる。この実施の形態の指向性吸収層１７は、表面に微細なマイクロ凸レンズ１６が並んで形成されたマイクロレンズアレイシートの各マイクロ凸レンズ１６の焦点位置近傍に、光吸収体アレイ１７ａの光吸収体で個々に囲まれたピンホールアレイ１７ｂを形成した構成を採っており、各マイクロ凸レンズ１６で集光された光はピンホールアレイ１７ｂを通過するが、それ以外の角度範囲で入射した光は光吸収体アレイ１７ａで吸収される。ただし、その他の構成により指向性吸収層１７が形成されていても差し支えない。
【図面の簡単な説明】
【００２０】
【図１】本発明に係る第１の実施の形態における投影スクリーンの側面断面図である。
【図２】本発明に係る第１の実施の形態における投影スクリーンの使用状態の一例の斜視図である。
【図３】本発明に係る第１の実施の形態における投影スクリーンの収納状態の一例の斜視図である。
【図４】本発明に係る第１の実施の形態における投影スクリーンの収納状態の第２の例の斜視図である。
【図５】本発明に係る第２の実施の形態における投影スクリーンの斜視図である。
【図６】本発明に係る第３の実施の形態における投影スクリーンの斜視図である。
【図７】本発明に係る第４の実施の形態における投影スクリーンの正面図である。
【図８】本発明に係る第４の実施の形態における投影スクリーンの収納状態を略示する斜視図である。
【図９】本発明に係る第５の実施の形態における投影スクリーンの側面断面図である。
【図１０】本発明に係る第６の実施の形態における投影スクリーンの側面断面図である。
【図１１】本発明に係る第７の実施の形態における投影スクリーンの側面断面図である。
【図１２】本発明に係る第８の実施の形態における投影スクリーンの側面断面図である。
【符号の説明】
【００２１】
１  自己吸着層
２  基材
３  接着剤
１０  映像スクリーン部
１０Ａ〜１０Ｄ  分割片
１１  心棒
１２  板状部材
１４  指向性散乱層
１７  指向性吸収層
２０  壁面
【図１】
2008058786.tif 000003
【図２】
2008058786.tif 000004
【図３】
2008058786.tif 000005
【図４】
2008058786.tif 000006
【図５】
2008058786.tif 000007
【図６】
2008058786.tif 000008
【図７】
2008058786.tif 000009
【図８】
2008058786.tif 000010
【図９】
2008058786.tif 000011
【図１０】
2008058786.tif 000012
【図１１】
2008058786.tif 000013
【図１２】
2008058786.tif 000014